(57)【要約】【課題】電子ネットワークにおいて入札手順を支援するためのシステム及び方法を提供すること【解決手段】情報配信ネットワークを実現するためのシステムが、この情報配信ネットワークを介して情報配信サービスを提供するように構成された情報サービスを含む。装置ユーザがユーザ装置を利用して、情報配信サービスを受けるために情報サービスと通信する。情報配信ネットワーク内の様々なネットワークエンティティと通信するためにトランスポート構造が実現される。トランスポート構造は、装置ユーザのうちの対象装置ユーザに情報サービスから選択した情報を提供するための適当なメタデータを収集する。広告主がメタデータの獲得権を得るための入札手順に参加するために利用する入札市場を提供する。【選択図】図１
2011086299.tif 000002
【特許請求の範囲】
【請求項１】
情報配信ネットワークを実現するためのシステムであって、
前記情報配信ネットワークを介して情報配信サービスを提供するように構成された情報サービスと、
前記情報サービスと通信して前記情報配信サービスを受け取るために装置ユーザが利用するユーザ装置と、
前記情報配信ネットワーク内のネットワークエンティティと通信してメタデータを収集し、前記装置ユーザのうちの対象装置ユーザに前記情報サービスから選択した情報を提供するトランスポート構造と、
前記メタデータの獲得権を得るための入札手順に参加するために広告主が利用する入札市場と、
を備えることを特徴とするシステム。
【請求項２】
前記入札市場が、前記情報配信ネットワーク内のコンピュータ装置として実現される、
ことを特徴とする請求項１に記載のシステム。
【請求項３】
前記入札手順が、所定の入札ルールに基づいて入札マネージャにより調整される、
ことを特徴とする請求項２に記載のシステム。
【請求項４】
前記トランスポート構造を管理するトランスポートサーバをさらに含む、
ことを特徴とする請求項１に記載のシステム。
【請求項５】
前記トランスポートサーバのメタデータマネージャが、前記メタデータに集計手順を実行して前記入札手順のための集計メタデータを作成する、
ことを特徴とする請求項４に記載のシステム。
【請求項６】
前記集計手順が、前記集計メタデータの、該集計メタデータから特定のターゲティング特徴を識別するための所定の基準によって定められるカテゴリを識別して前記入札手順中に前記広告主に提示する、
ことを特徴とする請求項５に記載のシステム。
【請求項７】
前記カテゴリをより詳細にターゲティングするにつれ、前記広告主に対する前記集計メタデータの価値が上がる、
ことを特徴とする請求項６に記載のシステム。
【請求項８】
前記メタデータが、前記装置ユーザに関するユーザメタデータと、前記ユーザ装置に関する装置メタデータと、前記選択された情報に関連する前記広告主に関する広告主メタデータとを含む、
ことを特徴とする請求項１に記載のシステム。
【請求項９】
前記トランスポート構造が、前記選択された情報を含むメディアファイルへのメディアリンクを含む、
ことを特徴とする請求項１に記載のシステム。
【請求項１０】
前記メディアファイル内の前記選択された情報が、広告情報及び電子コンテンツを含む、
ことを特徴とする請求項９に記載のシステム。
【請求項１１】
前記トランスポート構造が、前記選択された情報の前記ユーザ装置への個々の転送に対応する転送情報で更新された使用メタデータを含む、
ことを特徴とする請求項１に記載のシステム。
【請求項１２】
前記トランスポート構造が、前記情報配信ネットワーク内を移動して前記メタデータを収集し、前記トランスポート構造が、前記装置ユーザのうちの対象装置ユーザに前記選択された情報のためのメディアリンクも提供する、
ことを特徴とする請求項１に記載のシステム。
【請求項１３】
前記ユーザメタデータが、前記装置ユーザの個人名、性別、年齢、宗教、趣味、関心、職業、結婚歴、住所、収入、インターネット閲覧履歴、及びクレジットカード取引記録を含む、
ことを特徴とする請求項１２に記載のシステム。
【請求項１４】
前記広告主がプッシュ技術を利用して、前記装置ユーザに関する前記選択された情報のみを前記メタデータの形で提供される特定の特徴に照らして自動的に選択して送信する、
ことを特徴とする請求項１に記載のシステム。
【請求項１５】
前記選択された情報及び前記広告主メタデータの側面を、前記ユーザメタデータ及び前記装置メタデータから得られる特定の特徴とマッチさせることにより、前記選択された情報が前記装置ユーザにターゲティングされる、
ことを特徴とする請求項８に記載のシステム。
【請求項１６】
前記入札市場へのアクセスを金銭的な又はその他の対価と引き換えに前記広告主に提供する、前記情報サービスのキー要素を保持及び制御する営利企業である配信制御エンティティが、前記情報サービスを実施及びサポートする、
ことを特徴とする請求項１に記載のシステム。
【請求項１７】
前記ユーザ装置及び該ユーザ装置の装置ユーザに関するメタデータを管理するデータモジュールと、
前記メタデータを情報サービスに提供するトランスポート構造と、
前記トランスポート構造を前記情報サービスへ送信する通信モジュールと、
を備え、前記情報サービスが前記メタデータを利用して、１又はそれ以上の対象となる広告を前記装置ユーザへ送信するための前記メタデータの獲得権を広告主が得るようにする入札手順を支援する、
ことを特徴とするユーザ装置。
【請求項１８】
前記情報配信ネットワーク内のコンピュータ装置として実現される入札市場が入札手順を管理する、
ことを特徴とする請求項１７に記載のユーザ装置。
【請求項１９】
前記入札手順が、所定の入札ルールに基づいて入札マネージャにより調整される、
ことを特徴とする請求項１７に記載のユーザ装置。
【請求項２０】
前記トランスポート構造をトランスポートサーバが管理する、
ことを特徴とする請求項１７に記載のユーザ装置。
【請求項２１】
前記トランスポートサーバのメタデータマネージャが、前記メタデータに集計手順を実行して前記入札手順のための集計メタデータを作成する、
ことを特徴とする請求項２０に記載のユーザ装置。
【請求項２２】
前記集計手順が、前記集計メタデータの、該集計メタデータから特定のターゲティング特徴を識別するための所定の基準によって定められるカテゴリを識別して前記入札手順中に前記広告主に提示する、
ことを特徴とする請求項２１に記載のユーザ装置。
【発明の詳細な説明】
【技術分野】
【０００１】
本発明は、一般に電子情報を配信するための技術に関し、より具体的には、電子ネットワークにおいて入札手順を支援するためのシステム及び方法に関する。
【背景技術】
【０００２】
電子情報を配信するための効果的な方法を実施することは、現代の電子システムの設計者及び製造者にとって重要な検討課題である。しかしながら、電子機器が利用する電子情報を効果的に配信することにより、システム設計者に多くの課題が生じる恐れがある。例えば、さらなるシステムの機能及び性能を求める要求が高まることにより、より大きなシステム処理能力が必要となり、追加のソフトウェアリソースが必要となる可能性がある。処理要件又はソフトウェア要件の増加により、生産コスト及び経営の非効率性が増加した結果、これに対応する不利益な経済的影響がもたらされる可能性もある。
【０００３】
さらに、様々な高度な配信動作を行うためにシステム能力が高まることにより、システムユーザに付加的な利益がもたらされる場合もあるが、様々なシステム構成要素の制御及び管理に関するさらなる要求が突きつけられる可能性もある。例えば、電子広告情報を効果的に管理する電子システムは、必要なデジタルデータの量が多く複雑であるため、効果的な実施から恩恵を受けることができる。
【０００４】
システムリソースに対する要求が増加し、データの大きさが大幅に増加している結果、電子情報を電子装置に配信するための新しい技術を開発することが、関連する電子技術にとって懸案事項であることは明らかである。従って、全ての上述の理由から、電子情報を配信するための効果的な技術を開発することは、現代の電子システムの設計者、製造者、及びユーザにとって依然として重要な検討課題のままとなっている。
【発明の概要】
【課題を解決するための手段】
【０００５】
本発明によれば、電子ネットワークにおいて入札手順を支援するためのシステム及び方法が開示される。１つの実施形態では、配信システムが、対応するユーザ装置の装置ユーザが利用するのに適した様々な種類の情報を自動的に提供する。例えば、配信される情報は、以下に限定されるわけではないが、特定の装置ユーザを対象とする商業広告情報を含むことができる。所望の広告情報に積極的にアクセスするように消費者に要求する「プル」モデルをサポートする従来の広告技術とは異なり、上述の配信システムは、装置ユーザ及び様々な広告主の両方を定めた対応するメタデータファイルに基づいて適当な広告情報を自動的に選択し対象装置ユーザへ送信する「プッシュ」モデルをサポートする。
【０００６】
１つの実施形態では、配信システムが、配信システム内の適当なエンティティとの間で様々な種類の関連情報を自動的に伝送する１又はそれ以上のトランスポート構造をサポートし、利用することができる。例えば、このトランスポート構造を利用して、情報サービスから様々な装置ユーザ、ユーザ装置、電子ネットワーク、及びそれぞれの広告主に関するメタデータを収集し、転送することができる。また、このトランスポート構造を利用して、対象となる広告及び／又は電子コンテンツへのリンクを適当なユーザ装置に提供することもできる。
【０００７】
いくつかの実施形態では、最初に１又はそれ以上のトランスポート構造がいずれかの効果的な方法で作成される。例えば、このトランスポート構造を製造中にユーザ装置に組み込み、その後装置ユーザがこれを起動するようにすることができる。或いは、配信システム内の適当なエンティティが最初のトランスポート構造を作成し、或いは別様に提供することができる。次に、装置ユーザは、配信システムから情報を受け取るための加入登録手順を実行することができる。登録手順中、装置ユーザは通常、以下に限定されるわけではないが、ユーザメタデータ及び装置メタデータを含む様々な種類の関連情報を提供する。トランスポート構造は、上述の登録手順中に装置ユーザにより提供されたメタデータを含むように更新される。
【０００８】
いくつかの実施形態では、トランスポート構造を配信システム内のトランスポートサーバに提供することができる。その後、配信システム内のメタデータマネージャ又はその他の適当なエンティティが、いずれかの適当な技術を使用してトランスポート構造を分析し、トランスポート構造に含まれるメタデータを識別して集計することができる。本発明のいくつかの実施形態によれば、入札手順を支援するために配信システム内に入札市場が提供される。具体的には、広告主又はその他の適当なエンティティがこの入札市場を利用して、トランスポート構造及び対応する収集メタデータに対する特定の獲得権を得るために入札又はオファーを行うことにより入札手順に参加することができる。
【０００９】
いくつかの実施形態では、その後上述の入札手順の落札者が、獲得したメタデータに有利にアクセスしてこれを利用し、特定の装置ユーザ及び対応するユーザ装置に対して広告及びその他の情報をより正確にターゲティングできるようになる。通常、落札広告主は、配信ネットワークを利用して関連広告を対象装置ユーザに提供する。いくつかの実施形態では、トランスポート構造を利用して、広告情報にアクセスするためのメディアリンクを対象装置ユーザに提供することができる。その後、装置ユーザは、対応するユーザ装置を利用して、受け取った広告情報を見ることができる。
【００１０】
いくつかの実施形態では、トランスポート構造内の使用メタデータを、上述の対象装置ユーザへの広告情報の送信に関するあらゆる関連情報を反映するように更新することができる。最終的に、使用メタデータをフィードバック情報として広告主に提供することにより、広告主が自身の広告戦略の有効性及び効率性を評価することができる。従って、少なくとも上述の理由により、本発明は、電子ネットワークにおいて入札手順を支援するための改善されたシステム及び方法を提供する。
【図面の簡単な説明】
【００１１】
【図１】本発明の１つの実施形態による配信システムのブロック図である。
【図２Ａ】本発明によるトランスポート構造の１つの実施形態を示すブロック図である。
【図２Ｂ】本発明によるメディアファイルの１つの実施形態を示すブロック図である。
【図３】本発明による図１のユーザ装置の１つの実施形態を示すブロック図である。
【図４】本発明による図３のユーザメモリの１つの実施形態を示すブロック図である。
【図５】本発明による図１の情報サービスの１つの実施形態を示すブロック図である。
【図６Ａ】本発明による図５のトランスポートサーバの１つの実施形態を示すブロック図である。
【図６Ｂ】本発明による図６Ａのサーバメモリの１つの実施形態を示すブロック図である。
【図７】本発明による図５の広告サーバの１つの実施形態を示すブロック図である。
【図８Ａ】本発明による図５の入札市場の１つの実施形態を示すブロック図である。
【図８Ｂ】本発明による図８Ａの市場メモリの１つの実施形態を示すブロック図である。
【図９Ａ】本発明の１つの実施形態による、入札手順を実行する方法ステップのフロー図である。
【図９Ｂ】本発明の１つの実施形態による、入札手順を実行する方法ステップのフロー図である。
【図９Ｃ】本発明の１つの実施形態による、入札手順を実行する方法ステップのフロー図である。
【発明を実施するための形態】
【００１２】
本発明は、電子データ配信技術の改善に関する。以下の説明は、当業者が本発明を実施及び使用できるようにするために提供し、特許出願及びその要件との関連において行うものである。当業者には、開示する実施形態に対する様々な修正が明らかであろうし、また本明細書における一般的な原理を他の実施形態に適用することもできる。従って、本発明は、図示の実施形態に限定されることを意図されるものではなく、本明細書で説明する原理及び特徴と一致する最も広い範囲を許容すべきものである。
【００１３】
本発明は、情報配信ネットワークを実現するためのシステムを含むとともに、この情報配信ネットワークを介して情報配信サービスを提供するように構成された情報サービスを含む。装置ユーザがユーザ装置を利用して、情報配信サービスを受けるために情報サービスと通信する。情報配信ネットワーク内の様々なネットワークエンティティと通信するためにトランスポート構造が実現される。トランスポート構造は、装置ユーザのうちの対象ユーザに情報サービスから選択した情報を提供するための適当なメタデータを収集する。本発明によれば、広告主が、収集したメタデータの獲得権を得るための入札手順に参加するために利用する入札市場がサポートされる。
【００１４】
ここで図１を参照すると、本発明の１つの実施形態による配信システム１１０のブロック図を示している。図１の実施形態では、配信システム１１０は、以下に限定されるわけではないが、１又はそれ以上のユーザ装置１２２、情報サービス１１８、及びネットワーク１２６を含むことができる。代替の実施形態では、図１の実施形態に関連して説明する構成要素及び構成のいくつかに加え、或いはこれらの代わりに構成要素及び構成を利用することにより配信システム１１０を実現することができる。
【００１５】
本発明によれば、配信システム１１０は、対応するユーザ装置１２２の装置ユーザが利用するのに適した様々な種類の情報を自動的に提供する配信手順を有利にサポートする。例えば、配信される情報は、以下に限定されるわけではないが、ユーザ装置１２２の適当な装置ユーザを具体的に対象とする商業広告情報を含むことができる。所望の広告情報に積極的にアクセスするように消費者に要求する「プル」モデルをサポートする従来の広告技術とは異なり、図１の配信システム１１０は、装置ユーザ及び様々な広告主の両方を定めた対応するメタデータに基づいて適当な広告情報を自動的に選択し対象装置ユーザへ送信する「プッシュ」モデルをサポートする。
【００１６】
図１の実施形態では、金銭的な又はその他の対価と引き換えに広告主及び装置ユーザに配信サービスを提供する配信制御エンティティにより配信システム１１０を実現してサポートすることができる。配信制御エンティティは、情報サービス１１８などの配信システム１１０のキー要素を保持及び制御する営利企業であってもよい。
【００１７】
本発明によれば、配信システム１１０が、配信システム１１０内の適当なエンティティとの間で様々な種類の関連する情報を自動的に伝送する１又はそれ以上のトランスポート構造（図２Ａを参照）をサポートして利用できるという利点を有する。例えば、トランスポート構造を利用して、情報サービス１１８から様々な装置ユーザ、ユーザ装置１２２、ネットワーク１２６、及びそれぞれの広告主に関するメタデータを収集し転送することができる。また、トランスポート構造を利用して、対象となる広告及び／又は電子コンテンツへのリンクを適当なユーザ装置１２２に伝送又は提供することができる。
【００１８】
本発明によれば、情報サービス１１８は、広告主又はその他の適当なエンティティが、対応するトランスポート構造から関連するメタデータ情報を獲得するために入札又は別様にオファーを行うことができる入札手順を支援する入札市場（図８Ａ〜８Ｂを参照）を提供できるという利点を有する。その後、広告主は、獲得したメタデータ情報を分析して、対応する対象装置ユーザ及びそれぞれのユーザ装置１２２に関連広告及びその他の情報をより正確にターゲティングすることができる。従って、本発明は、電子ネットワークにおいて入札手順を支援するための改善されたシステム及び方法を提供する。以下、図１の配信システム１１０におけるトランスポート構造の実施構成及び利用に関するさらなる詳細について図２Ａ〜図９Ｃに関連して説明する。
【００１９】
ここで図２Ａを参照すると、本発明によるトランスポート構造２１０の１つの実施形態のブロック図を示している。図２Ａの実施形態は例示目的で示すものであり、代替の実施形態では、図２Ａの実施形態に関連して説明する構成要素及び構成のいくつかに加え、或いはこれらの代わりに構成要素及び構成を利用することによりトランスポート構造２１０を実現することができる。
【００２０】
図２Ａの実施形態では、メタデータカテゴリ／フィールドの各々が、１又はそれ以上の装置又はエンティティから得られるそれぞれの対応するメタデータソースタイプからの情報を含む。例えば、ユーザメタデータ２２２は、ユーザ装置１２２（図１）の１又はそれ以上の装置ユーザに関する情報を含むことができる。いくつかの実施形態では、１又はそれ以上の適当なユーザプロファイル４３０（図４）からユーザメタデータ２２２を選択的に作成することができる。同様に、装置メタデータ２２６は、１又はそれ以上のユーザ装置１２２に関する情報を含むことができる。いくつかの実施形態では、１又はそれ以上の適当な装置プロファイル４３４（図４）から装置メタデータ２２６を選択的に作成することができる。図２Ａの実施形態では、ネットワークメタデータ２３０は、電子ネットワーク１２６（図１）の様々な属性又はエンティティに関する情報を含むことができる。
【００２１】
図２Ａの実施形態では、広告主メタデータ２３４は、配信システム１１０に関連する１又はそれ以上の広告主に関する情報を含むことができる。いくつかの実施形態では、広告主を広告ソース５４０（図５）に関連付けることができる。同様に、コンテンツレンダラメタデータ２３８は、配信システム１１０に関連する１又はそれ以上のコンテンツレンダラに関する情報を含むことができる。いくつかの実施形態では、コンテンツレンダラをコンテンツソース５４２（図５）に関連付けることができる。図２Ａの実施形態では、雑情報２４２は、あらゆる追加データ又はその他の適当な情報を含むことができる。メディアリンク２４６は、以下で図２Ｂに関連して説明するように、１又はそれ以上のメディアファイルにアクセスするための場所又は接続手段を示すための適当な情報を含むことができる。トランスポート構造２１０内の使用メタデータ２４８は、対象装置ユーザのユーザ装置１２２への広告情報の送信に関するあらゆる関連情報を反映するように更新することができる。
【００２２】
配信システム１１０内の様々なエンティティが、トランスポート構造２１０内の情報をいずれかの適当な方法で利用することができる。例えば、ユーザメタデータ２２２、装置メタデータ２２６、及び広告主メタデータ２３４という共通要素をマッチさせることによって、対象装置ユーザへ自動送信するのに適した種類の関連する広告情報を識別することにより、広告ターゲティング手順を実行することができる。
【００２３】
トランスポート構造２１０は、いずれかの適当なソースからいずれかの効果的な方法で作り出すことができる。例えば、トランスポート構造２１０をユーザ装置１２２（図１）に組み込んで、必要に応じて装置ユーザがこれを起動するようにすることができる。或いは、ネットワーク１２６又は情報サービス１１８内の様々なエンティティがトランスポート構造２１０を作成し、又は起動することができる。例えば、トランスポートサーバ（図６Ａを参照）がトランスポート構造２１０の作成及び動作を管理することができる。以下、図２Ａのトランスポート構造２１０の実施構成及び利用に関するさらなる詳細について図２Ｂ〜図９Ｃに関連して説明する。
【００２４】
ここで図２Ｂを参照すると、本発明によるメディアファイル２５０の１つの実施形態のブロック図を示している。図２Ｂの実施形態は例示目的で示すものであり、代替の実施形態では、図２Ｂの実施形態に関連して説明する構成要素及び構成のいくつかに加え、或いはこれらの代わりに構成要素及び構成を利用することによりメディアファイル２５０を実現することができる。例えば、図２Ｂのメディアファイル２５０は、図２Ａのメディアリンク２４６を利用することによりアクセスできる別個のエンティティとして示している。しかしながら、代替の実施形態では、メディアファイル２５０を、図２Ａのトランスポート構造２１０の一体部分として実現することができる。
【００２５】
図２Ｂの実施形態では、広告（ａｄｓ）２５４は、ユーザ装置１２２（図１）のうちの適当なユーザ装置へ送信するために選択されたいずれかの適当な種類の対象となる広告情報を含むことができる。同様に、コンテンツアイテム２５８は、ユーザ装置１２２のうちの適当なユーザ装置へ送信するために選択されたいずれかの適当な種類の電子コンテンツ情報を含むことができる。例えば、コンテンツ２５８は、以下に限定されるわけではないが、ビデオデータ、オーディオデータ、グラフィクス、テキスト、映画、音楽レコード、及びコンピュータプログラムを含むことができる。以下、適当なメディアファイル２５０を対象装置ユーザに提供するためのさらなる情報について図３〜図９Ｃに関連してさらに説明する。
【００２６】
ここで図３を参照すると、本発明による図１のユーザ装置１２２の１つの実施形態のブロック図を示している。図３の実施形態では、ユーザ装置１２２は、以下に限定されるわけではないが、中央処理装置（ＣＰＵ）３１４と、メモリ３１８と、ディスプレイ３３８と、１又はそれ以上の（単複の）入力／出力インターフェイス（（単複の）Ｉ／Ｏインターフェイス）３４０とを含む。図３の実施形態は例示目的で示すものであり、代替の実施形態では、図３の実施形態に関連して説明する構成要素及び構成のいくつかに加え、或いはこれらの代わりに構成要素及び構成を使用してユーザ装置１２２を実現することができる。また、以下に限定されるわけではないが、デスクトップコンピュータ、携帯情報端末、携帯電話、セットトップボックス、又はラップトップコンピュータを含むいずれかの種類のポータブルな又は非ポータブルな電子装置としてユーザ装置１２２を実現することができる。
【００２７】
図３の実施形態では、ＣＰＵ３１４を、好ましくはソフトウェア命令を実行するいずれかの適当な及び互換性のあるマイクロプロセッサ装置を含むように実現することにより、ユーザ装置１２２の動作を制御及び管理することができる。図３のディスプレイ３３８は、装置ユーザに様々な情報を表示するのに適した画面を備えたブラウン管モニタ又は液晶ディスプレイ装置を含むいずれかの効果的な種類のディスプレイ技術を含むことができる。図３の実施形態では、（単複の）Ｉ／Ｏインターフェイス３４０は、ユーザ装置１２２がいずれかの必要な種類の情報を受信及び／又は送信するための１又はそれ以上の入力及び／又は出力インターフェイスを含むことができる。図３の実施形態では、以下に限定されるわけではないが、読み出し専用メモリ（ＲＯＭ）、ランダムアクセスメモリ（ＲＡＭ）、及びフロッピー（登録商標）ディスク、メモリスティック、コンパクトディスク、又はハードディスクなどの様々な種類の不揮発性メモリを含む所望の記憶装置のいずれかの組合せを含むようにメモリ３１８を実現することができる。以下、ユーザ装置１２２の利用に関する追加の詳細について図４〜図９Ｃに関連してさらに説明する。
【００２８】
ここで図４を参照すると、本発明による図３のユーザメモリ３１８の１つの実施形態のブロック図を示している。代替の実施形態では、図４の実施形態に関連して説明する構成要素及び構成のいくつかに加え、或いはこれらの代わりに構成要素及び構成を利用することによりユーザメモリ３１８を実現することができる。
【００２９】
図４の実施形態では、装置アプリケーション４２２は、好ましくはＣＰＵ３１４により実行されてユーザ装置１２２のための様々な機能及び動作を実行するプログラム命令を含むことができる。通常、装置アプリケーション４２２の具体的な特質及び機能は、対応するユーザ装置１２２の特定の種類及び具体的な機能などの要素次第で異なる。図４の実施形態では、ユーザ装置１２２は、データモジュール４２６を利用して、ユーザ装置１２２又はユーザ装置１２２の装置ユーザに関するいずれかの所望の属性又は特徴をまとめて記述するユーザプロファイル４３０及び装置プロファイル４３４を管理する。例えば、ユーザプロファイル４３０は、以下に限定されるわけではないが、装置ユーザの名前、性別、年齢、宗教、趣味、関心、職業、結婚歴、住所、収入、インターネット閲覧履歴、地理的場所、及びクレジットカード取引記録に関する情報を含むことができる。同様に、装置プロファイル４３４は、以下に限定されるわけではないが、装置の種類、装置のメーカー、サポートされている装置の機能、装置の場所、及び装置の構成を含むことができる。
【００３０】
図４の実施形態では、ドッキングポート４３８は、１又はそれ以上のトランスポート構造２１０（図２）とユーザ装置１２２との間の双方向通信を容易にするためのいずれかの適当な種類のインターフェイス手段を含むことができる。図４の実施形態では、広告（ａｄｓ）４４２は、配信システム１１０（図１）を介して特にユーザ装置１２２の装置ユーザのために受信した、対象となる広告情報を含むことができる。同様に、コンテンツ４４６は、配信システム１１０（図１）を介して特にユーザ装置１２２の装置ユーザのために受信した、対象となる電子コンテンツ情報を含むことができる。
【００３１】
図４の実施形態では、ユーザ装置１２２は、通信モジュール４５０を利用して、いずれかの適当な遠隔エンティティと双方向電子通信手順を実行することができる。図４の実施形態では、雑情報４５４は、ユーザ装置１２２が利用するのに適したあらゆる追加情報又はデータを含むことができる。例えば、いくつかの実施形態では、雑情報４５４は、１又はそれ以上のトランスポート構造２１０からダウンロードした、配信システム１１０内の他のエンティティに関する様々な種類のメタデータを含むことができる。以下、図４のユーザメモリ３１８の実施構成及び利用に関するさらなる詳細について図５〜図９Ｃに関連して説明する。
【００３２】
ここで図５を参照すると、本発明による図１の情報サービス１１８の１つの実施形態のブロック図を示している。図５の実施形態では、情報サービス１１８は、以下に限定されるわけではないが、コントローラ５１４と、トランスポートサーバ５１８と、広告サーバ５３８と、１又はそれ以上の広告ソース５４０と、１又はそれ以上のコンテンツソース５４２と、入札市場５４６とを含む。図５の実施形態は例示目的で示すものであり、代替の実施形態では、図５の実施形態に関連して説明する構成要素及び構成のいくつかに加え、或いはこれらの代わりに構成要素及び構成を使用して情報サービス１１８を実現することができる。
【００３３】
図５の実施形態では、情報サービス１１８の動作機能を調整及びモニタするためのいずれかの効果的な制御手段を含むようにコントローラ５１４を実現することができる。例えば、いくつかの実施形態では、情報サービス１１８の動作を管理する対応する制御アプリケーションプログラムを含むコンピュータ装置としてコントローラ５１４を実現することができる。或いは、ソフトウェア命令を実行するためのいずれかの適当な互換性のあるマイクロプロセッサ装置を含む中央処理装置としてコントローラ５１４を実現することにより、情報サービス１１８の動作を制御及び管理することができる。
【００３４】
図５の実施形態では、トランスポートサーバ５１８は、本発明による１又はそれ以上のトランスポート構造２１０（図２）と通信してこれを制御するためのいずれかの効果的な手段を含むことができる。トランスポートサーバ５１８の実施構成及び利用に関する追加の詳細については、以下で図６Ａ〜図６Ｂに関連してさらに説明する。図５の実施形態では、（単複の）広告ソース５４０は、配信システム１１０（図１）を介して宣伝するための広告情報を提供する１又はそれ以上の適当なエンティティを含むことができる。例えば、広告ソース５４０は、様々な営利企業、特定の広告主、又は広告開発者を含むことができる。
【００３５】
図５の実施形態では、（単複の）コンテンツソース５４２は、配信システム１１０を介して宣伝するための電子コンテンツを提供する１又はそれ以上の適当なエンティティを含むことができる。例えば、コンテンツソース５４２は、様々な営利企業、特定の広告主、又はコンテンツ製作者を含むことができる。図５の実施形態では、広告サーバ５３８は、ユーザ装置１２２（図１）の対象装置ユーザに提供するための適当な広告情報及び／又は電子コンテンツを、１又はそれ以上のトランスポート構造２１０（図２）からのメタデータを利用することにより識別して集計するためのいずれかの効果的な手段を含むことができる。広告サーバ５３８の１つの実施形態については、以下で図７に関連してさらに説明する。
【００３６】
図５の実施形態では、入札市場５４６は、広告主又はその他の適当なエンティティが、対応するトランスポート構造２１０（図２Ａ）から関連するメタデータ情報を獲得するために入札又は別様にオファーを行えるようにする入札手順を支援するためのいずれかの効果的な手段を含むことができる。その後、広告主は、獲得したメタデータ情報を分析して、対応する対象装置ユーザ及びそれぞれのユーザ装置１２２に関連広告及びその他の情報をより正確にターゲティングすることができる。広告入札市場５４６の１つの実施形態については、以下で図８Ａ〜図８Ｂに関連してさらに説明する。以下、情報サービス１１８の実施構成及び利用に関する追加の詳細について図６Ａ〜図９Ｃに関連してさらに説明する。
【００３７】
ここで図６Ａを参照すると、本発明による図５のトランスポートサーバ５１８の１つの実施形態のブロック図を示している。図６Ａの実施形態では、トランスポートサーバ５１８は、以下に限定されるわけではないが、中央処理装置（ＣＰＵ）６１４と、メモリ６１８と、ディスプレイ６３８と、１又はそれ以上の（単複の）入力／出力インターフェイス（（単複の）Ｉ／Ｏインターフェイス）６４０とを含む。図６Ａの実施形態は例示目的で示すものであり、代替の実施形態では、図６Ａの実施形態に関連して説明する構成要素及び構成のいくつかに加え、或いはこれらの代わりに構成要素及び構成を使用してトランスポートサーバ５１８を実現することができる。
【００３８】
図６Ａの実施形態では、好ましくはソフトウェア命令を実行するいずれかの適当な互換性のあるマイクロプロセッサ装置を含むようにＣＰＵ６１４を実現することにより、トランスポートサーバ５１８の動作を制御及び管理することができる。図６Ａのディスプレイ６３８は、装置ユーザに様々な情報を表示するのに適した画面を備えたブラウン管モニタ又は液晶ディスプレイ装置を含むあらゆる効果的な種類のディスプレイ技術を含むことができる。図６Ａの実施形態では、（単複の）Ｉ／Ｏインターフェイス６４０は、ユーザ装置１２２がいずれかの必要な種類の情報を受信及び／又は送信するための１又はそれ以上の入力及び／又は出力インターフェイスを含むことができる。図６Ａの実施形態では、以下に限定されるわけではないが、読み出し専用メモリ（ＲＯＭ）、ランダムアクセスメモリ（ＲＡＭ）、及びフロッピーディスク、メモリスティック、コンパクトディスク、又はハードディスクなどの様々な種類の不揮発性メモリを含む所望の記憶装置のいずれかの組合せを含むようにトランスポートサーバメモリ６１８を実現することができる。
【００３９】
ここで図６Ｂを参照すると、本発明による図６Ａのトランスポートサーバメモリ６１８の１つの実施形態のブロック図を示している。代替の実施形態では、図６Ｂの実施形態に関連して説明する構成要素及び構成のいくつかに加え、或いはこれらの代わりに構成要素及び構成を利用することによりトランスポートサーバメモリ６１８を実現することができる。
【００４０】
図６Ｂの実施形態では、トランスポートサーバメモリ６１８は、以下に限定されるわけではないが、以下で開示するいくつかのソフトウェアプログラム及びデータを含むことができる。例えば、トランスポートサーバメモリ６１８は、好ましくはＣＰＵ６１４により実行されてトランスポートサーバ５１８のための様々な機能及び動作を実行するプログラム命令からなるサーバアプリケーション６４４を含むことができる。通常、サーバアプリケーション６２２の具体的な特質及び機能は、対応するトランスポートサーバ５１８の特定の種類及び具体的な機能などの要素次第で異なる。
【００４１】
本発明によれば、トランスポートサーバ５１８は、ＴＳマネージャ６４８を利用して本発明による１又はそれ以上のトランスポート構造２１０（図２Ａ）のための様々な機能を管理及び調整することができる。いくつかの実施形態では、ＴＳマネージャ６４８は、配信システム１１０（図１）からの様々な許可された配信サービスに参加するためにユーザ装置１２２の装置ユーザを登録するための登録手順を調整する登録モジュールを含むことができる。ＴＳデータベース６５２は、配信システム１１０内の様々なエンティティに配信サービスを提供するトランスポート構造２１０に関するいずれかの適当な情報を含むことができる。
【００４２】
いくつかの実施形態では、ＴＳマネージャ６４８は、ＴＳデータベース６５２内のそれぞれのトランスポート構造情報を、配信システム１１０内のトランスポート構造２１０の現在の状態を反映するように絶えず更新することができる。トランスポートサーバ５１８は、通信モジュール６５６を利用していずれかの適当な遠隔エンティティとの双方向電子通信手順を実行することができる。例えば、通信モジュール６５６を利用して、配信システム１１０内のトランスポート構造２１０と遠隔通信することができる。使用メタデータ２４８は、対象装置ユーザのユーザ装置１２２への広告情報の送信に関するあらゆる関連情報を含むことができる。
【００４３】
図６Ｂの実施形態では、メタデータマネージャ６６４又はその他の適当なエンティティが、いずれかの効果的な技術を利用することによりトランスポート構造２１０からのメタデータに対してメタデータ分析／集計手順を実行することができる。いくつかの実施形態では、メタデータ分析／集計手順により様々な種類及びカテゴリの集計メタデータ６６８が識別され、入札手順中に広告主に提示される。いくつかの実施形態では、メタデータマネージャ６６４が、ユーザ装置１２２及び対応する装置ユーザから収集したメタデータを所定の基準に照らして分析し、集計メタデータ６６８内の特定のターゲティング特徴及びパラメータを識別することができる。例えば、ターゲティング特徴は、以下に限定されるわけではないが、ユーザメタデータ２２２、装置メタデータ２２６、ネットワークメタデータ２３０、及び広告主メタデータ２３４（図２Ａを参照）から選択した特徴を含むことができる。図６Ｂの実施形態では、雑情報６７２は、トランスポートサーバ５１８が利用するためのあらゆる所望の種類の情報又はデータを含むことができる。以下、トランスポートサーバ５１８の利用について図９Ａ〜図９Ｃに関連してさらに説明する。
【００４４】
ここで図７を参照すると、本発明による図５の広告サーバ５３８の１つの実施形態のブロック図を示している。図７の実施形態では、広告サーバ５３８は、以下に限定されるわけではないが、中央処理装置（ＣＰＵ）７１４と、メモリ７１８と、ディスプレイ７３８と、１又はそれ以上の（単複の）入力／出力インターフェイス（（単複の）Ｉ／Ｏインターフェイス）７４０とを含む。図７の実施形態は例示目的で示すものであり、代替の実施形態では、図７の実施形態に関連して説明する構成要素及び構成のいくつかに加え、或いはこれらの代わりに構成要素及び構成を使用して広告サーバ５３８を実現することができる。
【００４５】
図７の実施形態では、好ましくはソフトウェア命令を実行するいずれかの適当な互換性のあるマイクロプロセッサ装置を含むようにＣＰＵ７１４を実現することにより、広告サーバ５３８の動作を制御及び管理することができる。図７のディスプレイ７３８は、装置ユーザに様々な情報を表示するのに適した画面を備えたブラウン管モニタ又は液晶ディスプレイ装置を含むいずれかの効果的な種類のディスプレイ技術を含むことができる。図７の実施形態では、（単複の）Ｉ／Ｏインターフェイス７４０は、広告サーバ５３８がいずれかの所望の種類の情報を受信及び／又は送信するための１又はそれ以上の入力及び／又は出力インターフェイスを含むことができる。
【００４６】
図７の実施形態では、以下に限定されるわけではないが、読み出し専用メモリ（ＲＯＭ）、ランダムアクセスメモリ（ＲＡＭ）、及びフロッピーディスク、メモリスティック、コンパクトディスク、又はハードディスクなどの様々な種類の不揮発性メモリを含む所望の記憶装置のいずれかの組合せを含むようにメモリ７１８を実現することができる。図７の実施形態では、メモリ７１８は、以下に限定されるわけではないが、サーバアプリケーション８２２、ドッキングポート７２６、広告７３０、及びコンテンツ７３４を含む。
【００４７】
図７の実施形態では、サーバアプリケーション７２２は、広告サーバ５３８の様々な機能及び動作を実行するための、好ましくはＣＰＵ７１４により実行されるプログラム命令を含むことができる。通常、サーバアプリケーション７２２の具体的な特質及び機能は、対応する広告サーバ５３８の特定の種類及び具体的な機能などの要素次第で異なる。いくつかの実施形態では、サーバアプリケーション７２２は、トランスポート構造２１０（図２Ａ）からのメタデータを分析して適当なメディアファイル２５０（図２Ｂ）をユーザ装置１２２（図３）の対象装置ユーザとマッチさせることができる。
【００４８】
図７の実施形態では、ドッキングポート７２６は、広告サーバ５３８が１又はそれ以上のトランスポート構造２１０（図２）と双方向通信して広告７３０及び／又はコンテンツ７３４を転送するためのいずれかの効果的なインターフェイス手段を含むことができる。図７の実施形態では、広告７３０は、広告ソース５４０（図５）などのいずれかの適当なエンティティから広告サーバ５３８に提供される広告情報を含む。同様に、図７の実施形態では、コンテンツ７３４は、コンテンツソース５４２（図５）などのいずれかの適当なエンティティから広告サーバ５３８に提供される電子コンテンツを含む。
【００４９】
ここで図８Ａを参照すると、本発明による図５の入札市場５４６の１つの実施形態のブロック図を示している。図８Ａの実施形態では、入札市場５４６は、以下に限定されるわけではないが、中央処理装置（ＣＰＵ）８１４と、市場メモリ８１８と、ディスプレイ８３８と、１又はそれ以上の入力／出力インターフェイス（Ｉ／Ｏインターフェイス）８４０とを含む。図８Ａの実施形態は例示目的で示すものであり、代替の実施形態では、図８Ａの実施形態に関連して説明する構成要素及び構成のいくつかに加え、或いはこれらの代わりに構成要素及び構成を使用して入札市場５４６を実現することができる。
【００５０】
図８Ａの実施形態では、ＣＰＵ８１４を、好ましくはソフトウェア命令を実行するいずれかの適当な互換性のあるマイクロプロセッサ装置を含むように実現することにより、入札市場５４６の動作を制御及び管理することができる。図８Ａのディスプレイ８３８は、装置ユーザに様々な情報を表示するのに適した画面を備えたブラウン管モニタ又は液晶ディスプレイ装置を含むいずれかの効果的な種類のディスプレイ技術を含むことができる。図８Ａの実施形態では、（単複の）Ｉ／Ｏインターフェイス８４０は、入札市場５４６がいずれかの所望の種類の情報を受信及び／又は送信するための１又はそれ以上の入力及び／又は出力インターフェイスを含むことができる。図８Ａの実施形態では、以下に限定されるわけではないが、読み出し専用メモリ（ＲＯＭ）、ランダムアクセスメモリ（ＲＡＭ）、及びフロッピーディスク、メモリスティック、コンパクトディスク、又はハードディスクなどの様々な種類の不揮発性メモリを含む所望の記憶装置のいずれかの組合せを含むように市場メモリ８１８を実現することができる。
【００５１】
ここで図８Ｂを参照すると、本発明による図８Ａの市場メモリ８１８の１つの実施形態のブロック図を示している。代替の実施形態では、図８Ｂの実施形態に関連して説明する構成要素及び構成のいくつかに加え、或いはこれらの代わりに構成要素及び構成を利用することにより市場メモリ８１８を実現することができる。
【００５２】
図８Ｂの実施形態では、市場メモリ８１８は、以下に限定されるわけではないが、以下で開示するいくつかのソフトウェアプログラム及びデータを含むことができる。例えば、市場メモリ８１８は、好ましくはＣＰＵ８１４により実行されて入札市場５４６のための様々な機能及び動作を実行するプログラム命令からなる市場アプリケーション８４４を含むことができる。通常、市場アプリケーション８４４の具体的な特質及び機能は、対応する入札市場５４６の特定の種類及び具体的な機能などの要素次第で異なる。
【００５３】
図８Ｂの実施形態では、入札マネージャ８４８が入札手順を調整することができ、その間に、広告主又はその他の適当なエンティティが、対応するトランスポート構造２１０から収集されメタデータデータベース８６０に記憶された関連する集計メタデータ６６８（図６Ｂ）を獲得するために入札又は別様にオファーを行うことができる。いくつかの代替の実施形態では、広告主が、実際のトランスポート構造２１０を獲得するために入札することができる。図８Ｂの実施形態では、広告主の入札又はオファーを入札情報８５２としてローカルに記憶することができる。
【００５４】
図８Ｂの実施形態では、入札マネージャ８４８が、特定の所定の入札ルール８６４に照らして入札情報８５２を分析して１又はそれ以上の落札者を決定することができる。図８Ｂの実施形態では、入札手順の結果を入札結果８６８として記憶することができる。その後、落札者に通知を行って、メタデータデータベース８６０内の集計メタデータ６６８（図６Ｂ）又はトランスポート構造２１０（図２Ａ）へのアクセスを許可することができる。いくつかの実施形態では、入札市場５４６が通信モジュール８５６を利用して、いずれかの適当な遠隔エンティティとの双方向電子通信手順を実行することができる。図６Ｂの実施形態では、雑情報８７２は、入札市場５４６が利用するためのあらゆる所望の情報又はデータを含むことができる。
【００５５】
トランスポート構造２１０（図２Ａ）は、ユーザ及び装置情報を含む動的構造として実現されるとともに、新たなアプリケーションのためのカスタマイズ可能なデータフィールドでもあるので、１つのエンティティが既存の又は新たな広告ネットワークに対してトランスポート構造２１０（又はこの収集メタデータ）を販売することを目的としたビジネスに向けてこのトランスポート構造２１０を作成して成長させるような新たなビジネスモデルをサポートすることができる。この広告ネットワークは、ユーザ、装置、及び消費者にメディア及び広告を提供するためのビジネスルールをより厳密に定義できるということから価値を得る。
【００５６】
いくつかの実施形態では、提供されるメタデータの種類が特殊であるため、「動的」トランスポート構造２１０を消費者プラットフォーム上に配置し、その後利用可能なターゲティングレベルに基づいて、トランスポート構造２１０からのメタデータに対する入札を行うための入札市場５４６を提供するようにビジネスエンティティを設定することができる。これらのトランスポート構造２１０を購入前に電子機器上に配置することができる。これらのトランスポート構造２１０をネットワーク上に配置し、その後新たな装置の認証時に機能させることもできる。トランスポート構造２１０を、装置又は装置に関連するサービスの最初の購入取引と同時にネットワーク上に配置することもできる。
【００５７】
トランスポート構造２１０内のメタデータは、広告のターゲティングの幅が狭ければ狭いほど広告主にとって有益なものとなる。トランスポート構造２１０のメタデータにアクセスすると同時に、トランスポート構造２１０又は記憶されたこれらのメタデータのグループを集計して、その後入札手順中に広告主に提供することができる。例えば、１つの集計として、郵便番号９２０１１の４０歳男性、又はＩＰＴＶを使用しＭＴＶも見る４０歳男性を表すメタデータを挙げることができる。別の例として、郵便番号９２０１１のＦａｃｅｂｏｏｋユーザではあるが、ＩＰＴＶのプラットフォーム上で再生されるメディアに限定されたユーザを挙げることができる。これらのトランスポート構造２１０は、ユーザの購入行動を追跡することもできる。上述のビジネスモデルの変形例として、レンタル／購入／ライセンス使用、並びに変更又は移動する権利を挙げることができる。以下、入札市場５４６の入札マネージャ８４８の実施構成及び利用について図９Ａ〜図９Ｃに関連してさらに説明する。
【００５８】
ここで図９Ａ〜図９Ｃを参照すると、本発明の１つの実施形態による入札手順を実行するための方法ステップのフロー図を示している。図９のフロー図は例示目的で示すものであり、代替の実施形態では、本発明は、図９の実施形態に関連して説明するステップ及びシーケンス以外のステップ及びシーケンスを利用することができる。
【００５９】
図９Ａのステップ９１４において、最初に１又はそれ以上のトランスポート構造２１０（図２Ａ）がいずれかの効果的な方法で作成される。例えば、トランスポート構造２１０を製造中にユーザ装置１２２に組み込み、その後装置ユーザがこれを起動するようにすることができる。或いは、配信システム１１０内の適当なエンティティが最初のトランスポート構造２１０を作成し、或いは別様に提供することができる。ステップ９１８において、１又はそれ以上の装置ユーザが、配信システム１１０から情報を受け取るために登録手順を実行する。
【００６０】
ステップ９２０において、通常、装置ユーザは登録手順中に、以下に限定されるわけではないが、ユーザメタデータ２２２及び装置メタデータ２２６を含む関連情報を提供する。ステップ９２４において、トランスポート構造２１０に、上述の登録手順中に装置ユーザにより提供されたメタデータを含むようにデータが入れられる。次に、ステップ９２８において、配信システム１１０を介してトランスポート構造２１０をトランスポートサーバ５１８に提供することができる。次に、図９Ａの処理は、接続文字「Ａ」を介して図９Ｂのステップ９３２へ進む。
【００６１】
ステップ９３２において、配信システム１１０内のメタデータマネージャ６６４又はその他の適当なエンティティが、いずれかの適当な技術を使用してトランスポート構造２１０を分析し、トランスポート構造２１０に含まれるメタデータを識別して集計する。ステップ９３６において、入札手順を支援するための入札市場５４６が配信システム１１０に提供される。次に、ステップ９４０において、広告主又はその他の適当なエンティティが、トランスポート構造２１０及び対応する収集されたメタデータに関するいくつかの獲得権を得るために入札又はオファーを行うことにより入札手順に入ることができる。ステップ９４４において、上述の入札手順の落札者が、獲得したメタデータにアクセスしてこれを利用し、特定の装置ユーザ及び対応するユーザ装置１２２に広告及びその他の情報をより正確にターゲティングできるようになる。次に、図９Ｂの処理は、接続文字「Ｂ」を介して図９Ｃのステップ９４８へ進む。
【００６２】
ステップ９４８において、落札広告主が配信ネットワーク１１０を利用して、上述のステップ９４８において識別された対象装置ユーザに関連広告を提供する。いくつかの実施形態では、トランスポート構造２１０を利用して、広告情報にアクセスするためのメディアリンクを対象装置ユーザに提供することができる。ステップ９５２において、装置ユーザが対応するユーザ装置１２２を利用して、対象となる広告情報を見ることができる。ステップ９５６において、トランスポート構造２１０内の使用メタデータ２４８を、上述の対象装置ユーザのユーザ装置１２２への広告情報の送信に関するあらゆる関連情報を反映するように更新することができる。
【００６３】
最終的に、ステップ９６０において、使用メタデータ２４８をフィードバック情報として広告主に提供することにより、広告主が自身の広告戦略の有効性及び効率性を評価できるようになる。その後、図９のプロセスを終了することができる。従って、少なくとも上述の理由により、本発明は、電子ネットワークにおいて入札手順を支援するための改善されたシステム及び方法を提供する。
【００６４】
いくつかの実施形態を参照しながら本発明について上述した。当業者には本開示に照らして他の実施形態も明らかであろう。例えば、上記の特定の実施形態で説明したもの以外のいくつかの構成及び技術を使用して本発明を容易に実施することができる。また、上述した以外のシステムとともに本発明を効果的に使用することもできる。従って、説明した実施形態に対するこれらの及びその他の変形も本発明の対象となることが意図され、これらは添付の特許請求の範囲によってのみ限定される。
【図１】
2011086299.tif 000003
【図２Ａ】
2011086299.tif 000004
【図２Ｂ】
2011086299.tif 000005
【図３】
2011086299.tif 000006
【図４】
2011086299.tif 000007
【図５】
2011086299.tif 000008
【図６Ａ】
2011086299.tif 000009
【図６Ｂ】
2011086299.tif 000010
【図７】
2011086299.tif 000011
【図８Ａ】
2011086299.tif 000012
【図８Ｂ】
2011086299.tif 000013
【図９Ａ】
2011086299.tif 000014
【図９Ｂ】
2011086299.tif 000015
【図９Ｃ】
2011086299.tif 000016
【外国語明細書】
2011086299.tif 000017
2011086299.tif 000018
2011086299.tif 000019
2011086299.tif 000020
2011086299.tif 000021
2011086299.tif 000022
2011086299.tif 000023
2011086299.tif 000024
2011086299.tif 000025
2011086299.tif 000026
2011086299.tif 000027
2011086299.tif 000028
2011086299.tif 000029
2011086299.tif 000030
2011086299.tif 000031
2011086299.tif 000032
2011086299.tif 000033
2011086299.tif 000034
2011086299.tif 000035
2011086299.tif 000036
2011086299.tif 000037
2011086299.tif 000038
2011086299.tif 000039
2011086299.tif 000040
2011086299.tif 000041
2011086299.tif 000042
2011086299.tif 000043
2011086299.tif 000044
2011086299.tif 000045
2011086299.tif 000046
2011086299.tif 000047
2011086299.tif 000048
2011086299.tif 000049
2011086299.tif 000050
2011086299.tif 000051
2011086299.tif 000052
2011086299.tif 000053
2011086299.tif 000054
2011086299.tif 000055
2011086299.tif 000056
2011086299.tif 000057
2011086299.tif 000058
2011086299.tif 000059
2011086299.tif 000060